(57)【要約】【課題】制御ユニットにおいて、ユニット箱体内の限られた空間の有効利用を図ることと併せてメンテナンス性の向上を図る。【解決手段】ユニット箱体１内に設けられたユニットベース１ａと、このユニットベース１ａに取り付けられた第１の機器３ａ，３ｂ、この第１の機器の横に位置して前記ユニットベースに取り付けられた第２の機器２、この第２の機器２に取り付けられ取付金具５、前記第１の機器３ａ，３ｂの前方に当該第１の機器３ａ，３ｂの前方を塞ぐように位置して前記取付金具５に枢着された機器要素７、及び閉めた状態でその窓から前記第１の機器７及び前記機器要素７が前面部が露出するように前記ユニット箱体１に枢着されたユニット扉１０を備え、前記前記ユニット扉１０を枢動操作し且つ前記機器要素７を枢動操作すると前記第１の機器の前方が開放される。【選択図】図４
2006246545.tif 000002
【特許請求の範囲】
【請求項１】
ユニット箱体内に設けられたユニットベース、このユニットベースに取り付けられた第１の機器、この第１の機器の横に位置して前記ユニットベースに取り付けられた第２の機器、この第２の機器に取り付けられ取付部材、前記第１の機器の前方に当該第１の機器の前方を塞ぐように位置して前記取付部材に枢着された機器要素、及び閉めた状態でその窓から前記機器要素の前面部が露出するように前記ユニット箱体に枢着されたユニット扉を備え、前記ユニット扉を枢動操作し且つ前記機器要素を枢動操作すると前記第１の機器の前方が開放される制御ユニット。
【請求項２】
前記機器要素を枢動操作した場合に前記機器要素が前記第２の機器に当接しないように前記機器要素の枢動角度が制限されることを特徴とする制御ユニット。
【請求項３】
請求項１または請求項２に記載の制御ユニットにおいて、前記第１の機器が制御機器であり、前記第２の機器がブレーカであり、前記機器要素がリレーであることを特徴とする制御ユニット。
【請求項４】
請求項１〜請求項３の何れか一に記載の制御ユニットにおいて、挿入ピンにより前記機器要素の枢着が行われることを特徴とする制御ユニット。
【発明の詳細な説明】
【技術分野】
【０００１】
この発明は、コントロールセンタ等の制御ユニットに関するものである。
【背景技術】
【０００２】
コントロールセンタの制御ユニット内に取付ける複数の機器をユニットベースから浮かせる場合は、例えば、特許文献１に見られるように、各機器は、それぞれ個別に対応台座に取付けられている。このような構造は、機器の操作部や表示部等の前面部を扉面から露出する場合に多く用いられる。
【０００３】
【特許文献１】特開平５−１９１９０５号公報（図１及びその説明）
【発明の開示】
【発明が解決しようとする課題】
【０００４】
上記取付台座を使用する場合は、取付台座をユニットベースにネジ止めし、更に機器を取付台座にネジ止めする必要がある。取付台座のユニットベースへのネジ止め、前記機器の前記取付台座へのネジ止めのそれぞれを２点止めとすると、計４点のネジ止めが必要であり、そのため作業工数が多く、また取付台座がある為にユニットベースと機器との空間が有効活用しにくく、また、仮に有効活用できた場合でも、取付台座がある為に、取付台座とユニットベースとの間にある機器のメンテナンス性が悪い。従って、制御ユニットにおいては、ユニット箱体内の限られた空間の有効利用を図ることと併せてメンテナンス性の向上を図ることが好ましい。
【０００５】
この発明は、前述のような実情に鑑みてなされたもので、制御ユニットにおいて、ユニット箱体内の限られた空間の有効利用を図ることと併せてメンテナンス性の向上を図ることを目的とするものである。
【課題を解決するための手段】
【０００６】
この発明に係る制御ユニットは、ユニット箱体内に設けられたユニットベース、このユニットベースに取り付けられた第１の機器、この第１の機器の横に位置して前記ユニットベースに取り付けられた第２の機器、この第２の機器に取り付けられ取付部材、前記第１の機器の前方に当該第１の機器の前方を塞ぐように位置して前記取付部材に枢着された機器要素、及び閉めた状態でその窓から前記機器要素の前面部が露出するように前記ユニット箱体に枢着されたユニット扉を備え、前記ユニット扉を枢動操作し且つ前記機器要素を枢動操作すると前記第１の機器の前方が開放される制御ユニットである。
【発明の効果】
【０００７】
この発明は、ユニット箱体内に設けられたユニットベース、このユニットベースに取り付けられた第１の機器、この第１の機器の横に位置して前記ユニットベースに取り付けられた第２の機器、この第２の機器に取り付けられ取付部材、前記第１の機器の前方に当該第１の機器の前方を塞ぐように位置して前記取付部材に枢着された機器要素、及び閉めた状態でその窓から前記機器要素の前面部が露出するように前記ユニット箱体に枢着されたユニット扉を備え、前記ユニット扉を枢動操作し且つ前記機器要素を枢動操作すると前記第１の機器の前方が開放される制御ユニットであるので、ユニット箱体内の限られた空間の有効利用を図ることと併せてメンテナンス性の向上を図ることができる。
【発明を実施するための最良の形態】
【０００８】
実施の形態１．
以下、この発明の実施の形態１を図１〜図８により説明する。図１はコントロールセンタ１１とその制御ユニット１２を示す斜視図、図２はコントロールセンタの制御ユニット１２を扉を外した状態で正面から見た正面図、図３はコントロールセンタの制御ユニット１２を扉を取り付けた状態で見た底面図、図４はコントロールセンタの制御ユニット１２を扉が無い状態で底面から見た底面図、図５は図４に示すリレー（relay）等の機器要素を挿入ピン８を軸として回転（枢動）させた状態を示す底面図、図６は取付部材５とリレー（relay）７とピン８の組立構成を示す図、図７は取付部材５とリレー（relay）７と挿入ピン８とを組み合せた図である。図８は取付部材５の拡大３面図で、（ａ）は底面図、（ｂ）は側面図、（ｃ）は背面図ある。なお、各図中、同一符合は同一部分を示す。
【０００９】
図１に示すように、制御ユニット１２は、モータ（motor）を制御，保護する機器を各モータ（motor）毎に収納した単位装置であり、コントロールセンタ１１は、複数台のユニットを実装した低圧配電盤である。
【００１０】
図２に示すように、機器要素であるリレー（relay）７は、金属製や樹脂製などの取付部材５と、ユニット箱体１の前面側の上部に設けられた帯状のユニット天板９とに、各１点で、計２点で固定されている。
【００１１】
前記機器要素であるリレー（relay）７の奥側（裏側）に、第１の機器である制御機器３ａ，３ｂが配置されている。また、機器要素は、前記第１の機器の前方に当該第１の機器の前方を塞ぐように位置して前記取付部材５に枢着されている。
【００１２】
図３に示すように、第２の機器であるブレーカ（breaker）２用の操作ハンドル４及び前記機器要素であるリレー（relay）７は、その前面部である操作部及び表示部が、ユニット扉１０の窓１０ａから表面に出るよう露出して配設されている。
【００１３】
図４に示すように、取付部材５の一端は、前記第２の機器であるブレーカ（breaker）２の操作ハンドル４を固定する為の取付部材にもなっている。
【００１４】
前記取付部材５は、他方の取付部材６とで、左右から挟み込む形で、前記操作ハンドル４を前記第２の機器であるブレーカ（breaker）２に固定してある。
【００１５】
前記取付部材５の形状を図において右方向へ延長した形状とする事で、操作ハンドル４の右側に取付ける機器要素であるリレー（relay）７を取付ける事が可能である。
【００１６】
前述のように、リレー（relay）等の機器要素７をユニットベース１に固定する為の取付台座が不要となり、リレー（relay）等の機器要素７の奥側のスペースが活用可能となる。（図には上記スペースに第１の機器である制御機器３ａ、３ｂを取付けた場合を例示してある）
【００１７】
また、リレー（relay）等の機器要素７は、前記取付部材５に、ネジ止めで固定するのではなく、挿入ピン８を差し込む事で固定する構造としている。そのため、取付け作業の作業性が良く、また取付けたリレー（relay）等の機器要素７はピン８を軸として枢動（回転）させる事が可能である。
【００１８】
図５にピン８を軸としてリレー（relay）等の機器要素７を枢動（回転）させた状態を示し、図６に取付部材５及びリレー（relay）等の機器要素７及びピン８の組立準備の為の各構成品をの位置関係を示す。
【００１９】
図５に示す通り、リレー（relay）等の機器要素７がピン８を軸にして枢動（回転）する事により、リレー（relay）等の機器要素７の奥側に取付けた制御機器３ａ、３ｂのメンテナンス性が向上する。
【００２０】
前述のように、この発明の実施の形態１は、ユニット箱体１内に設けられたユニットベース１ａと、このユニットベース１ａに取り付けられた第１の機器３ａ，３ｂ、この第１の機器の横に位置して前記ユニットベースに取り付けられた第２の機器２、この第２の機器２に取り付けられた取付部材５、前記第１の機器３ａ，３ｂの前方に当該第１の機器３ａ，３ｂの前方を塞ぐように位置して前記取付部材５に枢着された機器要素７、及び閉めた状態でその窓から前記機器要素７の前面部が露出するように前記ユニット箱体１に枢着されたユニット扉１０を備え、前記ユニット扉１０を枢動操作し且つ前記機器要素７を枢動操作すると前記第１の機器３ａ，３ｂの前方が開放される制御ユニットである。
【００２１】
また、図５に示すように、前記機器要素７を枢動操作した場合、最終的には前記機器要素７が前記第２の機器２の操作ハンドル４に当接することにより前記機器要素７の枢動角度が制限される。
【００２２】
ブレーカ（breaker）用操作ハンドル４の取付部材５を、同一部材にリレー（relay）等機器要素７を取付できる構造とすることで、機器要素取付用の取付部材を削減し、ユニット内の活用スペースの拡大を図る。
【００２３】
また、機器要素７は、本取付部材５にネジ止めやハメ込み等で取付けるのではなく、挿入ピン８を差し込む事で取付け可能な構造とすることで作業工数の削減を図る。さらに、取付用のピン８を軸として機器を回転可能な構造とする事で、機器要素７の後方のユニット内スペースのメンテナンス性の向上を図ることができる。
【００２４】
本実施の形態１の発明により、ブレーカ（breaker）用操作ハンドル４の取付部材５に取付ける機器（例えば、機器要素７）については、個別の取付部材が不要となり、部品点数を削減し作業工数を削減した。また、従来の取付台座を削減した事で、ユニット内の活用スペースを拡大させることができた。
【００２５】
また、取付部材５の機器要素７への枢着は、ネジ止めではなく挿入ピン８を差し込む事で取付ける為、作業性を向上させた。ピン８を差し込む事で取付けた機器は、取付け用のピンを軸として回転させる事で機器奥側スペースのメンテナンス性が向上し、スペースを有効活用可能とした。
【００２６】
実施の形態２．
なお、前述のこの発明の実施の形態１の説明では、ブレーカ（breaker）用操作ハンドル４を固定する部材５，６について説明したが、この部材５，６は他の用途の取付部材や取付板であっても同等の効果を奏する。
【００２７】
実施の形態３．
前述のこの発明の実施の形態１の説明では、機器要素７としてリレー（relay）を固定する場合について説明したが、リレー（relay）等の機器に限らず、パネル等他の構成部品をも含み、その場合であっても同等の効果を奏する。
【００２８】
実施の形態４．
前述のこの発明の実施の形態１の説明では、ピン８を用いて取付部材５とリレー（relay）等の部品を枢着する場合について説明したが、ピンに限らず軸となり得る物にて固定する場合は、同等の効果を奏する。
実施の形態５．
図９及び図１０は、この発明の実施の形態５を示す図で、取付部材５にストッパー１３設けられており、前記機器要素７を枢動操作した場合、最終的には図１０に示すように、前記機器要素７の側面がストッパー１３に当接することにより前記機器要素７の枢動角度が制限される。なお、図９はコントロールセンタの制御ユニット１２を扉が無い状態で底面から見た底面図、図１０は図９に示すリレー（relay）等の機器要素を挿入ピン８を軸として回転（枢動）させた状態を示す底面図である。
【図面の簡単な説明】
【００２９】
【図１】この発明の実施の形態１を示す図で、コントロールセンタ１１とその制御ユニット１２を示す図である。
【図２】この発明の実施の形態１を示す図で、コントロールセンタの制御ユニット１２を正面から見た図である。
【図３】この発明の実施の形態１を示す図で、コントロールセンタの制御ユニット１２を扉を取り付けた状態で底面から見た図である。
【図４】この発明の実施の形態１を示す図で、コントロールセンタの制御ユニット１２を扉が無い状態で底面から見た底面図である。
【図５】この発明の実施の形態１を示す図で、図４に示すリレー（relay）等の機器要素を挿入ピン８を軸として回転させた状態を示す図である。
【図６】この発明の実施の形態１を示す図で、取付部材５とリレー（relay）７とピン８の組立構成を示す図である。
【図７】この発明の実施の形態１を示す図で、取付部材５とリレー（relay）７とピン８を組み合せた図である。
【図８】この発明の実施の形態１を示す図で、取付部材５の３面図である。
【図９】この発明の実施の形態５を示す図で、コントロールセンタの制御ユニット１２を扉が無い状態で底面から見た底面図である。
【図１０】この発明の実施の形態５を示す図で、図９に示すリレー（relay）等の機器要素を挿入ピン８を軸として回転させた状態を示す図である。
【符号の説明】
【００３０】
１    ユニット箱体、
１ａ    ユニットベース、
２    第２の機器であるブレーカ（breaker）、
３ａ、３ｂ    第１の機器である制御機器、
４    第２の機器であるブレーカ（breaker）の操作ハンドル、
５    取付部材（右側用）、
６    取付部材（左側用）、
７    機器要素であるリレー（relay）、
８    ピン、
９    ユニット天板、
１０    ユニット扉、
１０ａ    窓、
１１    コントロールセンタ、
１２    制御ユニット、
１３    ストッパー。
【図１】
2006246545.tif 000003
【図２】
2006246545.tif 000004
【図３】
2006246545.tif 000005
【図４】
2006246545.tif 000006
【図５】
2006246545.tif 000007
【図６】
2006246545.tif 000008
【図７】
2006246545.tif 000009
【図８】
2006246545.tif 000010
【図９】
2006246545.tif 000011
【図１０】
2006246545.tif 000012